(57)【要約】【課題】  液晶表示素子の表示部を外面に備えて表示データが書き換え可能な外装ケース，外装ケースの展示ラック，展示システムを提供する。【解決手段】  電子ペーパー外装ケース（ＤＰＣ）１の通信制御回路１３は，表示部１１に表示させたいデータを受信する。表示制御回路１４は，ケース部外面に設けられた表示部１１の液晶表示層へ所定のパルス電圧を印加して，受信データへの表示書き換え走査を行う。表示書き換えが終了すると，電圧印加を終了し，表示部１１への電力供給は不要になるが，受信データの表示状態が保持される。その後，通信制御回路１３がデータを受信すれば，表示制御回路１４は，受信したデータへの表示書き換えを行う。【選択図】  図１
2008116591.tif 000002
【特許請求の範囲】
【請求項１】
物品を収容するケース部の外面に設けられ，書き換え可能性および表示保持特性を有する液晶表示層からなる表示部と，
前記表示部の表示を制御する制御部であって，
前記表示部へ表示させるデータを取得する通信制御部と，
表示書き換え走査中にのみ前記表示部へ所定のパルス電圧を印加することによって，前記表示部に前記データを表示させる表示制御部とを備える
ことを特徴とする外装ケース。
【請求項２】
前記ケース部は，
当該外装ケースの識別情報を記憶する記憶部とを備え，
前記通信制御部は，前記識別情報に関連付けられたデータを受信する
ことを特徴とする請求項１に記載の外装ケース。
【請求項３】
前記ケース部の２以上の外面各々に前記表示部を備え，
前記通信制御部は，前記表示部ごとに関連付けられたデータを受信し，
前記表示制御部は，前記関連付けられたデータを前記表示部に表示させる
ことを特徴とする請求項１または請求項２のいずれか一項に記載の外装ケース。
【請求項４】
外面に，書き換え可能性および表示保持特性を有する液晶表示層からなる表示部を設けた外装ケースを陳列する外装ケース展示用ラックであって，
前記外装ケースと接続するコネクタ部と，
前記外装ケースの表示部へ表示させるデータを取得する通信制御部と，
表示書き換え走査中にのみ前記表示部の前記液晶表示層へ所定のパルス電圧を印加することによって，前記表示部に前記データを表示させる表示制御部とを備える
ことを特徴とする外装ケース展示用ラック。
【請求項５】
外面に表示部を備えた外装ケース，および前記外装ケースの表示部へ表示させるデータを制御する表示情報制御装置を備える外装ケース展示システムであって，
前記表示情報制御装置は，
前記外装ケースの表示部に表示させるデータを記憶する表示情報記憶部と，
前記外装ケースの識別情報，および前記外装ケースの表示部に表示させるデータを設定した表示制御情報を記憶する表示制御情報記憶部と，
前記表示制御情報にもとづいて前記表示情報記憶部からデータを取得する表示情報取得部と，
前記データを前記外装ケースへ送信する送信制御部とを備え，
前記外装ケースは，
当該外装ケースの外面に設けられ，書き換え可能性および表示保持特性を有する液晶表示層からなる表示部と，
前記表示部へ表示させるデータを受信する受信制御部と，
表示書き換え走査中にのみ前記表示部の前記液晶表示層へ所定のパルス電圧を印加することによって，前記表示部に前記データを表示させる表示制御部とを備える
ことを特徴とする外装ケース展示システム。
【請求項６】
外面に表示部を備えた外装ケース，前記外装ケースを陳列するための外装ケース展示用ラック，および，前記外装ケースの表示部へ表示させるデータを制御する表示情報制御装置を備える外装ケース展示システムであって，
前記表示情報制御装置は，
前記外装ケースの表示部に表示させるデータを記憶する表示情報記憶部と，
前記外装ケース展示用ラックにおける前記外装ケースの位置，および前記外装ケースの表示部に表示させるデータを設定した表示制御情報を記憶する表示制御情報記憶部と，
前記表示制御情報にもとづいて前記表示情報記憶部からデータを取得する表示情報取得部と，
前記データを前記外装ケース展示用ラックへ送信する送信制御部とを備え，
前記外装ケースは，
当該外装ケースの外面に設けられ，書き換え可能性および表示保持特性を有する液晶表示層からなる表示部と，
前記外装ケース展示用ラックと接続するコネクタ部とを備え，
前記外装ケース展示用ラックは，
前記外装ケースと接続するコネクタ部と，
前記外装ケースの表示部へ表示させるデータを受信する受信制御部と，
表示書き換え走査中にのみ前記表示部の前記液晶表示層へ所定のパルス電圧を印加することによって，前記表示部に前記データを表示させる表示制御部とを備える
ことを特徴とする外装ケース展示システム。
【発明の詳細な説明】
【技術分野】
【０００１】
本発明は，外面に表示情報の切り換えが可能な表示部を備える外装ケース，前記外装ケースを収納・陳列する外装ケース展示用ラック，前記外装ケースに表示情報を表示させる外装ケース展示システムに関する。
【背景技術】
【０００２】
近年，電子ペーパーと呼ばれる液晶表示層（液晶表示素子からなる表示層）が開発され，その適用分野として，電子ブック，モバイル端末の表示部，ＩＣカードの表示部など，主に携帯機器への利用が挙げられている。電子ペーパーは，コレステリック相が形成される液晶組成物（コレステリック液晶またはカイラルネマティック液晶と呼ばれる。以下，コレステリック液晶という。）を用いた液晶表示素子を用いた表示部材である。電子ペーパーは，半永久的な表示保持特性（メモリ性），カラー表示特性，高コントラスト特性，高解像度特性などの優れた特徴を有している。
【０００３】
したがって，コレステリック液晶による電子ペーパーは，表示情報（データ）の書き換え処理時以外には電力を消費せずに情報を表示することが可能である。また，電子ペーパーはシート状に形成可能である。そのため，携帯機器やカードなどの表示部以外への用途の拡大が可能である。
【特許文献１】特開２００２−１４３２４号公報
【発明の開示】
【発明が解決しようとする課題】
【０００４】
従来，商品の宣伝・販売などを行う場合に，商品自体を展示する方法がある。ポスター，パネル，販売促進用ビデオなどの展示用品と共に，商品自体も多数展示される。商品の存在を知らせるだけでなく，商品パッケージ自体が展示用品として機能するからである。
【０００５】
図８に，商品自体を利用した従来の展示方法を示す。例えば，音楽用ＣＤやＤＶＤなどを宣伝・販売する場合に，図８（Ａ）のようにＣＤやＤＶＤが収容された複数のケースの表紙を並べたり，図８（Ｂ）のようにケースの背表紙を並べたりして，宣伝・販売を行っている。
【０００６】
商品自体の陳列によって宣伝効果を生じさせるためには，特設コーナーなどを設けて，ある程度のまとまった量の商品を配置する必要がある。そのため，異なる複数の商品を宣伝・販売する場合には，商品ごとに十分な陳列スペースが必要であった。また，制約されたスペースで陳列を行う場合には，宣伝・販売の対象を変更する度に，商品を取り換える必要があった。さらに，展示用品として商品自体を使用する場合に，商品の外装ケースとして複数のデザインが用意され，展示状況に応じたデザインの使い分けができることが望ましい。しかし，従来，商品の外装ケースは印刷物であるため，複数バリエーションのパッケージを用意することは費用的負担が大きかった。
【０００７】
そのため，商品の外装ケースを利用して，商品や宣伝の情報を切り換えて展示できるような仕組みが要求されている。
【０００８】
本発明は，電子ペーパー（液晶表示層）を利用した表示部を外面に備え，所望するデータを書き換え可能に表示させることができる外装ケースを提供することを目的とする。また，前記の外装ケースを陳列し，その表示部のデータを書き換えできる外装ケース展示用ラックを提供することを目的とする。また，前記の外装ケース，および前記外装ケースに表示させるデータを制御する表示情報制御装置で構成される外装ケース展示システム，ならびに前記の外装ケース，前記外装ケースを収納して陳列する展示用ラック，および表示情報制御装置で構成される外装ケース展示システムを提供することを目的とする。
【課題を解決するための手段】
【０００９】
本発明の外装ケースは，物品を収容するケース部の外面に設けられた，書き換え可能性および表示保持特性を有する液晶表示層からなる表示部と，この表示部へ表示させるデータを取得する通信制御部と，表示書き換え走査中にのみ表示部の液晶表示層へ所定のパルス電圧を印加することによって，表示部に受信したデータを表示させる表示制御部とを備える。
【００１０】
外装ケースの表示部は，電子ペーパーと呼ばれる，書き換え可能性および表示保持特性を有する液晶表示層からなる。外装ケースでは，通信制御部が表示させたいデータを取得すると，表示制御部は，ケース部外面に設けられた表示部の液晶表示層へ所定のパルス電圧を印加して，受信データへの表示書き換え走査が行われる。受信データへの表示書き換えが終了すると，パルス電圧の印加が終了し，表示部への電力供給は不要になる。外装ケースの表示部では，受信データ表示状態が保持される。
【００１１】
外装ケースでは，通信制御部によってデータが受信される都度に，表示制御部が，受信データへの表示書き換え走査を行う。よって，表示させたいデータが複数用意され，外装ケースの通信制御部にて受信されることにより，外装ケースの外面の表示情報を変化させることができる。
【００１２】
また，表示部の液晶表示層は表示保持特性を有するため，受信データの表示書き換え走査後は，表示情報保持のための電力消費が生じない。さらに，液晶表示層はシート状に形成可能であるため，厚みを抑えたケース部を実現することができる。また，表示部の液晶表示層は，ＲＧＢ表示系のＲ層，Ｇ層，Ｂ層から構成され，フルカラー表示が可能である。
【００１３】
また，前記外装ケースのケース部は，外装ケースの識別情報を記憶する記憶部とを備え，通信制御部は，識別情報に関連付けられたデータを取得することを特徴とする。
【００１４】
複数の外装ケースを組み合わせて配置する場合に，各外装ケースでは，通信制御部で識別情報に関連付けられたデータを受信し，表示部に受信データを表示させることができる。例えば，複数の外装ケースが組み合わされて配置される場合に，各外装ケースの配置に対応させて，１つのイメージデータを予め分割しておき，各外装ケースの識別情報と関連付けられた分割データを，各外装ケースの通信制御部で受信させ，表示部に表示させる。これにより，配置された外装ケースそれぞれに，その位置に対応する分割データが表示されるため，複数の外装ケースによって１つのイメージデータが表示される状態を実現することが可能となる。
【００１５】
また，前記外装ケースは，ケース部の２以上の外面各々に前記表示部を備え，表示部ごとに関連付けられたデータを受信し，各表示部に表示することを特徴とする。これにより，複数の表示部を関連させた表示を行うことができる。
【００１６】
また，前記外装ケースは，ケース部と制御部とを接続するコネクタ部を備え，表示部，識別情報の記憶部を備えるケース部と，通信制御部，表示制御部とを備える制御部とがコネクタ部によって分離可能に構成されてもよい。これによって，表示書き換え時以外は，外装ケースのケース部のみを携帯したり，他の場所へ設置したりすることができる。
【００１７】
また，本発明の外装ケース展示用ラックは，前記の外装ケースであって制御部を分離可能に構成されたケース部のみを備えるものを，１または２以上並べて陳列するものである。外装ケース展示用ラックは，外装ケースと接続するコネクタ部と，表示させるデータを取得する通信制御部と，コネクタ部で接続された外装ケースにデータを表示させる表示制御部とを備えることを特徴とする。
【００１８】
前記外装ケース各々に制御部を設ける代わりに，複数の外装ケース各々を収納・陳列できるように構成され，外装ケース各々の表示を制御できる制御部（通信制御部，表示制御部）をラック側に設けることにより，複数の外装ケースの表示書き換えを一括して行うことが可能となる。
【００１９】
また，本発明の外装ケース展示システムは，前記外装ケース，および前記外装ケースの表示部へ表示させるデータを制御する表示情報制御装置を備える。
【００２０】
または，本発明の外装ケース展示システムは，前記外装ケース，前記外装ケース展示用ラック，および前記表示情報制御装置を備えるものである。
【００２１】
前記表示情報制御装置は，外装ケースの表示部に表示させるデータを記憶する表示情報記憶部と，外装ケース展示用ラックにおける外装ケースの位置，および外装ケースの表示部に表示させるデータを設定した表示制御情報を記憶する表示制御情報記憶部と，表示制御情報にもとづいて表示情報記憶部からデータを取得する表示情報取得部と，データを外装ケース展示用ラックへ送信する送信制御部とを備えることを特徴とする。
【００２２】
また，前記外装ケースは，外面に設けられ，書き換え可能性および表示保持特性を有する液晶表示層からなる表示部と，外装ケース展示用ラックと接続するコネクタ部とを備えることを特徴とする。
【００２３】
また，前記外装ケース展示用ラックは，外装ケースと接続するコネクタ部と，外装ケースの表示部へ表示させるデータを受信する受信制御部と，表示書き換え走査中にのみ表示部の液晶表示層へ所定のパルス電圧を印加することによって，表示部にデータを表示させる表示制御部とを備えることを特徴とする。
【００２４】
本発明の外装ケース展示システムによれば，表示させたいデータを，外装ケース展示用ラックに収納・陳列された外装ケースの位置に応じて分割して表示させることができる。これにより，外装ケースの表示部個々の大きさの制約を受けずに，外装ケースが陳列された外装ケース展示用ラック全体で１つのデータを表示させ，また表示を変化させることができる。よって，宣伝・販売に利用する場合に，高い宣伝効果を期待することができる。
【発明の効果】
【００２５】
本発明によれば，外装ケースの外面に，電子ペーパーを利用した表示部を設けて，受信したデータを表示させることができるため，電力を消費することなく，所望の表示情報を半永久的に表示させることができる。また，外装ケースの外面の表示情報を自由に切り換えることができる。
【００２６】
また，外装ケースに識別情報を記憶させ，識別情報に関連付けることによって表示させるデータを指定することができるため，複数の外装ケースの表示部を組み合わせて１つの表示情報を表示させることができる。
【００２７】
また，前記の外装ケースを外装ケース展示用ラックに陳列させることによって，外装ケースの表示部を複数組み合わせて１つの情報を表示させることができる。また，外装ケース展示用ラックに収納された外装ケースを，一括またはグループ化して表示の書き換えを行うことができる。
【００２８】
また，外装ケース展示システムでは，表示情報制御装置において，外装ケース展示用ラックに陳列された外装ケースの配置に合わせてデータを自由に分割し，外装ケース展示用ラックに送信して，外装ケースに効果的に情報を表示させることができる。
【００２９】
本発明を，例えば，音楽ＣＤ，ＤＶＤなどの商品の宣伝・販売業務に適用した場合に，音楽ＣＤ，ＤＶＤなどを収容した外装ケースの表示部に，任意のイメージデータを表示させたり，別のイメージデータに書き換えたりすることができる。
【００３０】
また，外装ケースの表示部は，表示書き換え時以外は表示情報の保持に電力を消費しない。そのため，表示情報の維持コストを抑えることができる。また，電源を確保できないような場所にも外装ケースを展示することができる。よって，魅力的，効果的な宣伝を行うことが可能となる。
【００３１】
また，同一物を異なるデザインの外装ケースに収容して商品化できるため，購入者は，異なるイメージデータが表示された商品から所望するものを選択して購入することができる。また，購入後も外装ケースの表示を切り換えたりすることができる。よって，購入者の購入意欲の向上を図ることができる。
【００３２】
さらに，外装ケースに記憶させた識別情報をもとに，インターネットを介して，購入者を認証し，別のイメージデータをダウンロードさせて表示切り換えを行わせるサービス（表示用データ配信サービス）などの新規ビジネスモデルの実現が期待できる。
【発明を実施するための最良の形態】
【００３３】
図１に，本発明にかかる外装ケースの構成例を示す。
【００３４】
図１に示す電子ペーパー外装ケース（以下，「ＤＰＣ」と呼ぶ）１は，表示部１１，メモリ１２，通信制御回路１３，表示制御回路１４で構成される。ＤＰＣ１は，外部の電源２からの電源供給によって駆動する。
【００３５】
図１（Ａ）は，ＤＰＣ１のケース部と制御部とが一体的に形成された場合の構成図である。図１（Ａ）に示すＤＰＣ１は，電源２と切り離すことができるように構成される。
【００３６】
表示部１１は，ＤＰＣ１の外面に設けられ，表示制御回路１４によって駆動され，データの表示を保持する処理部である。表示部１１は，ＤＰＣ１の２以上の外面各々に備えられてもよい。
【００３７】
表示部１１は，書き換え可能性および表示保持特性を有する液晶表示層を備える。この液晶表示層は，所定の階調表示が可能なＲＧＢ表示系の各層（Ｒ層，Ｇ層，Ｂ層）を有してフルカラー表示を行う。
【００３８】
本実施形態では，表示部１１は，本願の出願人の既出願に記載された「電子ペーパー」を用いて実施することができる（特願２００６−９９９６４５参照）。この電子ペーパーは，画面書き換えのためのデータ書き込み走査時間を従来に比べて短縮し，かつ明度の高いフルカラー表示が可能である。
【００３９】
メモリ１２は，ＤＰＣ１を識別する識別情報，ＤＰＣ１に収容される物品の内容を示す物品情報などを記憶する記憶部である。
【００４０】
通信制御回路１３は，表示部１１へ表示させる表示情報を，外部との通信によって取得する処理部である。表示情報（データ）は，コンピュータの外部記憶部，表示情報を保持するネットワーク上のサーバなどに保持される。通信制御回路１３は，所定のプロトコルによるデータ通信によって表示情報（データ）を取得する。
【００４１】
通信制御回路１３は，メモリ１２に記憶された識別情報に関連付けられたデータを受信し，または，２以上の表示部１１がある場合に，各表示部１１に関連付けられたデータを受信する。
【００４２】
表示制御回路１４は，表示書き換え走査中にのみ表示部１１へ所定のパルス電圧を印加して，通信制御回路１３が取得したデータを表示部１１に表示させる処理部である。
【００４３】
表示制御回路１４は，２以上の表示部１１がある場合に，各表示部１１に関連付けられたデータをそれぞれの表示部１１に表示させる。
【００４４】
図１（Ｂ）は，ＤＰＣ１のケース部１ｄと制御部１ｃとが分離可能に構成された場合の構成図である。
【００４５】
図１（Ｂ）に示すように，ＤＰＣ１に，ケース部１ｄと制御部１ｃとを接続するコネクタ部１６ｄ，１６ｃが追加される。ケース部１ｄは，表示部１１，メモリ１２を備える。制御部１ｃは，通信制御回路１３，表示制御回路１４を備える。なお，制御部１ｃは，電源２と切り離し可能に構成されてもよく，または一体化されていてもよい。
【００４６】
ＤＰＣ１は，通信制御回路１３によって，表示情報（データ）を取得すると，表示制御回路１４は，表示部１１の液晶表示層に所定のパルス電圧を印加して，取得したデータの書き込み走査を行い，走査終了時に電圧印加を終了する。
【００４７】
図２に，外装ケース展示システムの構成例を示す。
【００４８】
図２の例では，複数のＤＰＣ１（ＤＰＣ１−１〜４）が設置されるとする。ＤＰＣ１の通信制御回路１３は，ネットワークＮを介して表示情報制御装置３からデータをダウンロードする。また，メモリ１２に，ＤＰＣ１の識別情報（ＤＰＣＩＤ），収容物に関する情報（物品情報）が記憶されている。
【００４９】
表示情報制御装置３は，表示情報制御テーブル３１，表示情報記憶部３２，表示情報取得部３３，表示情報分割部３４，および通信制御部３５を備える。
【００５０】
表示情報制御テーブル３１は，ＤＰＣ１の識別情報，各ＤＰＣ１の配置情報，ＤＰＣ１の表示部１１に表示させるデータを設定した表示制御情報を記憶する記憶部である。表示情報記憶部３２は，ＤＰＣ１の表示部１１に表示させる表示情報（データ）を記憶する記憶部である。
【００５１】
表示情報取得部３３は，表示情報記憶部３２から，表示制御情報に設定されたデータを取得する処理部である。
【００５２】
表示情報分割部３４は，取得したデータを，表示制御情報の配置情報にもとづいて分割し，ＤＰＣ１の識別情報に関連付けた分割データを生成する処理部である。
【００５３】
通信制御部３５は，各ＤＰＣ１に，関連付けられた分割データをダウンロードさせる処理部である。
【００５４】
図２を用いて，各ＤＰＣ１に別々の表示情報を表示させる場合の処理例を説明する。この場合に，表示情報制御テーブル３１に，ＤＰＣ１の識別情報（ＤＰＣＩＤ），表示させるデータ（内容）が設定される。
【００５５】
表示情報取得部３３は，表示情報制御テーブル３１をもとに，各ＤＰＣＩＤに設定されたデータを表示情報記憶部３２から取得し，各ＤＰＣ１へ送信する。
【００５６】
例えば，ＤＰＣ１−１は，プロモーション用写真などのデータ（ＰＶ）を，ＤＰＣ１−２は，インタビュー記事のテキストなどのデータ（ＩＶ）を，ＤＰＣ１−３，ＤＰＣ１−４は，予告メッセージやイメージなどのデータ（ＰＭ）を，それぞれ受信し，表示部１１に表示させる。これにより，４つのＤＰＣ１−１〜４で，プロモーション用写真，インタビュー記事，予告メッセージなどのさまざまな情報を同時に表示させることができる。
【００５７】
図３に，複数のＤＰＣ１（ＤＰＣ１−１〜４）で１つの表示情報を表示する場合の処理例を説明する。表示情報制御装置３の表示情報制御テーブル３１には，ＤＰＣ１の識別情報（ＤＰＣＩＤ），ＤＰＣ１の配置情報，表示させるデータ（内容）が設定される。表示させるデータ（内容）には，所定のタイミングで，「１．ＰＶ；２．ＩＶ；３．ＰＭ」の順序でデータを繰り返し表示させるように設定されている。
【００５８】
表示情報取得部３３は，表示情報制御テーブル３１をもとに，内容に設定された１番目のデータ（ＰＶ）を表示情報記憶部３２から取得する。表示情報分割部３４は，ＤＰＣＩＤに設定されたＤＰＣ１の数をもとに取得したデータを分割し，配置情報をもとにＤＰＣＩＤと分割されたデータとを関連付ける。通信制御部３５は，ＤＰＣＩＤが関連付けられた分割データを各ＤＰＣ１−１〜４へ送信する。ＤＰＣ１−１はＰＶの分割データ（左上部分）を，ＤＰＣ１−２はＰＶの分割データ（右上部分）を，ＤＰＣ１−３はＰＶの分割データ（左下部分）を，ＤＰＣ１−４はＰＶの分割データ（右下部分）を，それぞれ受信し，それぞれの表示部１１で表示させる。
【００５９】
これにより，ＤＰＣ１の表示部１１の表示面積の制約にかかわらずに，４つのＤＰＣ１−１〜４で，１つのプロモーション用写真（ＰＶ）を大きく表示させることができる。
【００６０】
そして，所定の時間が経過すると，表示情報取得部３３は，表示情報記憶部３２から，次のデータ（ＩＶ）を取得する。表示情報分割部３４，通信制御部３５は，同様の処理を行い，各ＤＰＣ１−１〜４は，次の分割データ（ＩＶ）を受信し表示させる。
【００６１】
図４を用いて，複数のＤＰＣ１−１〜４で１つの表示情報を表示する場合の別の処理例を説明する。表示情報制御テーブル３１には，ＤＰＣ１の識別情報（ＤＰＣＩＤ），ＤＰＣ１の配置情報，表示させるデータ（内容）が設定される。複数のＤＰＣ１（ＤＰＣ１−１〜３）で表示させるデータ（内容）には，「１．ＰＶ；２．ＩＶ；３．ＰＭ」の順序でデータを繰り返し表示させるように設定されているとする。ＤＰＣ１（ＤＰＣ１−４）で表示させるデータ（内容）には，「メッセージ表示（ＰＭ）」が設定される。
【００６２】
表示情報取得部３３は，表示情報制御テーブル３１をもとに，内容に設定された１番目のデータ（ＰＶ）を表示情報記憶部３２から取得する。表示情報分割部３４は，ＤＰＣＩＤに設定されたＤＰＣ１の数をもとに取得したデータを分割し，配置情報をもとにＤＰＣＩＤと分割されたデータとを関連付ける。通信制御部３５は，ＤＰＣＩＤが関連付けられた分割データを各ＤＰＣ１−１〜４へ送信する。ＤＰＣ１−１はＰＶの分割データ（左上部分）を，ＤＰＣ１−２はＰＶの分割データ（右上部分）を，ＤＰＣ１−３はＰＶの分割データ（左下部分）を，ＤＰＣ１−４はＰＭを，それぞれ受信し表示部１１で表示させる。
【００６３】
そして，所定の時間が経過すると，表示情報取得部３３は，表示情報記憶部３２から，次のデータ（ＩＶ）を取得する。表示情報分割部３４，通信制御部３５は，同様の処理を行い，該当するＤＰＣ１−１〜３は，次の分割データ（ＩＶ）を受信し表示部１１で表示させる。ＤＰＣ１−４は，データを受信せず，表示切り換えを行わない。
【００６４】
これにより，４つのＤＰＣ１−１〜４のうち，３つのＤＰＣ１−１〜３では所定の時間の経過ごとに表示が書き換えられ，ＤＰＣ１−４では，そのままの表示が保持される。
【００６５】
図５に，外装ケース展示システムにおいて複数のＤＰＣ１を組み合わせて展示できる外装ケース展示用ラック（以下，「展示用ラック」という）５の構成例を示す。
【００６６】
図５の展示用ラック５は，図１（Ｂ）に示すようなケース部１ｄのみを有するように構成されたＤＰＣ１を収納・接続するラック部と，複数のＤＰＣ１を接続し，各ＤＰＣ１の表示部１１の表示を制御できるように構成した制御部１ｃとで構成される。図５に示す展示用ラック５の各処理部は，図１に示す同一番号の処理部と同様の機能を持つ。
【００６７】
図５の展示用ラック５は，コネクタ部１６ｃ（図示しない）を備えたラック部を１６個備え，最大１６個のＤＰＣ１を接続し陳列することができる。ＤＰＣ１を収納するラック部の識別情報（ラックＩＤ）をＤＰＣ１−１〜１６とする。展示用ラック５に収納されるＤＰＣ１は，ケース部１ｄの表面および背面にそれぞれ表示部１１を備えるものとする。
【００６８】
図６に，図５の展示用ラック５を用いてＤＰＣ１の表示を制御する場合の表示情報制御テーブル３１の例を示す。
【００６９】
表示情報制御テーブル３１には，展示用ラック５の各ラック部の識別情報（ラックＩＤ），ＤＰＣ１の識別情報（ＤＰＣＩＤ），収容物を示す情報（タイトル），ＤＰＣをグループ化した場合のグループを示す情報（Ｇｒｐ），グループを構成するＤＰＣの情報（Ｎｕｍ），表示させるデータ（内容）が設定される。
【００７０】
例えば，４つのラック部（ＤＰＣ１−３〜６）がグループ化され（Ｇｒｐ＝Ａ），このラック部に収納されたＤＰＣ１（ＤＰＣ１−３〜６）に表示させたいデータとして，複数のイメージデータ（ジャケット１，ジャケット２）を繰り返し表示させるように設定されている。また，２つのラック部（ＤＰＣ１−１１〜１２）がグループ化され（Ｇｒｐ＝Ｂ），このラック部に収納されたＤＰＣ１（ＤＰＣ１−１１〜１２）に表示させたいデータとして，テキストメッセージを表示させるように設定されている。
【００７１】
さらに，ラック部（ＤＰＣ１−１〜２）では，このラック部に収納されたＤＰＣ１（ＤＰＣ１−１〜２）に，ＤＰＣ１の収容物を示すタイトルを表示させるように設定されている。
【００７２】
図５の表示情報制御装置３では，表示情報取得部３３が，所定のタイミングで表示情報制御テーブル３１を参照し，該当するデータを表示情報記憶部３２から取得する。その後の処理は，前記の図２〜４の説明と同様である。
【００７３】
図７に，外装ケース展示システムの処理フローチャートを示す。
【００７４】
表示情報制御装置３の表示情報取得部３３は，所定の時間が経過したら（ステップＳ１のＹＥＳ），表示情報制御テーブル３１を参照して，表示情報記憶部３２から表示情報（データ）を取得する（ステップＳ２）。表示情報分割部３４は，表示情報制御テーブル３１の，データを表示させるＤＰＣ１の数，ＤＰＣ１の識別情報をもとに，データを分割し，各ＤＰＣ１のＤＰＣＩＤへ関連付けた分割データを生成する（ステップＳ３）。なお，外装ケース展示システムが展示用ラック５を含む構成の場合には，ＤＰＣ１の識別情報の代わりに，展示用ラック５におけるＤＰＣ１の配置，展示用ラック５のラック部の識別情報を用いる。
【００７５】
通信制御部３５は，ＤＰＣＩＤへ関連付けた分割データを，各ＤＰＣ１へ送信する（ステップＳ４）。なお，展示用ラック５を含む外装ケース展示システムでは，展示用ラック５へ全ての分割データを送信する。
【００７６】
そして，外装ケース展示システムの処理が終了するまで（ステップＳ５のＮＯ），ステップＳ１の処理へ戻り，ステップＳ２〜ステップＳ４の処理を繰り返す。一方，外装ケース展示システムの処理終了であれば（ステップＳ５のＹＥＳ），処理を終了する。
【００７７】
ＤＰＣ１の通信制御回路１３は，表示情報制御装置３からデータを取得したら（ステップＳ１０のＹＥＳ），表示制御回路１４は，表示部１１へ所定電圧の印加を開始し（ステップＳ１１），受信したデータを用いて表示書き込みを行う（ステップＳ１２）。そして，所定の電圧の印加を停止し（ステップＳ１３），処理を終了する。
【００７８】
以上，本発明をその実施の形態により説明したが，本発明はその主旨の範囲において種々の変形が可能であることは当然である。例えば，本実施形態では，ＤＰＣ１の表示部１１にデータ（例えばイメージデータ）を表示させて保持するような処理例を説明したが，通信制御回路１３で，表示させるイメージデータを短いタイミングで連続して受信し，表示制御回路１４で，受信したデータを順次表示部１１に表示させることによって，表示部１１でアニメーション表示を実現することも可能である。
【００７９】
以下に，本発明の形態および実施例の特徴を列記する。
【００８０】
（付記１）  物品を収容するケース部の外面に設けられ，書き換え可能性および表示保持特性を有する液晶表示層からなる表示部と，
前記表示部の表示を制御する制御部であって，
前記表示部へ表示させるデータを取得する通信制御部と，
表示書き換え走査中にのみ前記表示部へ所定のパルス電圧を印加することによって，前記表示部に前記データを表示させる表示制御部とを備える
ことを特徴とする外装ケース。
【００８１】
（付記２）  前記ケース部は，
当該外装ケースの識別情報を記憶する記憶部とを備え，
前記通信制御部は，前記識別情報に関連付けられたデータを受信する
ことを特徴とする前記付記１に記載の外装ケース。
【００８２】
（付記３）  前記ケース部の２以上の外面各々に前記表示部を備え，
前記通信制御部は，前記表示部ごとに関連付けられたデータを受信し，
前記表示制御部は，前記関連付けられたデータを前記表示部に表示させる
ことを特徴とする前記付記１または前記付記２のいずれか一項に記載の外装ケース。
【００８３】
（付記４）  前記ケース部と前記制御部とを接続するコネクタ部を備え，
前記ケース部と前記制御部とが前記コネクタ部によって分離可能に構成されている
ことを特徴とする前記付記１ないし前記付記３のいずれか一項に記載の外装ケース。
【００８４】
（付記５）  前記通信制御部は，無線データ通信プロトコルによって前記データを受信する
ことを特徴とする前記付記１ないし前記付記４のいずれか一項に記載の外装ケース。
【００８５】
（付記６）  前記表示部の液晶表示層は，所望の階調表示が可能なＲ層，Ｇ層，およびＢ層を有し，フルカラー表示を行う
ことを特徴とする前記付記１ないし前記付記５のいずれか一項に記載の外装ケース。
【００８６】
（付記７）  外面に，書き換え可能性および表示保持特性を有する液晶表示層からなる表示部を設けた外装ケースを陳列する外装ケース展示用ラックであって，
前記外装ケースと接続するコネクタ部と，
前記外装ケースの表示部へ表示させるデータを取得する通信制御部と，
表示書き換え走査中にのみ前記表示部の前記液晶表示層へ所定のパルス電圧を印加することによって，前記表示部に前記データを表示させる表示制御部とを備える
ことを特徴とする外装ケース展示用ラック。
【００８７】
（付記８）  前記外装ケースが識別情報を記憶する記憶部を備える場合に，
前記通信制御部は，前記表示部ごとに関連付けられたデータを取得する
ことを特徴とする前記付記７に記載の外装ケース展示用ラック。
【００８８】
（付記９）  前記外装ケースが２以上の外面各々に前記表示部を備える場合に，
前記通信制御部は，前記表示部ごとに関連付けられたデータを受信し，
前記表示制御部は，前記関連付けられたデータを前記表示部に表示させる
ことを特徴とする前記付記７または前記付記８のいずれか一項に記載の外装ケース展示用ラック。
【００８９】
（付記１０）  前記通信制御部は，所定の契機または期間の経過ごとに前記データを取得する
ことを特徴とする前記付記７ないし前記付記９のいずれか一項に記載の外装ケース展示用ラック。
【００９０】
（付記１１）  外面に表示部を備えた外装ケース，および前記外装ケースの表示部へ表示させるデータを制御する表示情報制御装置を備える外装ケース展示システムであって，
前記表示情報制御装置は，
前記外装ケースの表示部に表示させるデータを記憶する表示情報記憶部と，
前記外装ケースの識別情報，および前記外装ケースの表示部に表示させるデータを設定した表示制御情報を記憶する表示制御情報記憶部と，
前記表示制御情報にもとづいて前記表示情報記憶部からデータを取得する表示情報取得部と，
前記データを前記外装ケースへ送信する送信制御部とを備え，
前記外装ケースは，
当該外装ケースの外面に設けられ，書き換え可能性および表示保持特性を有する液晶表示層からなる表示部と，
前記表示部へ表示させるデータを受信する受信制御部と，
表示書き換え走査中にのみ前記表示部の前記液晶表示層へ所定のパルス電圧を印加することによって，前記表示部に前記データを表示させる表示制御部とを備える
ことを特徴とする外装ケース展示システム。
【００９１】
（付記１２）  外面に表示部を備えた外装ケース，前記外装ケースを陳列するための外装ケース展示用ラック，および，前記外装ケースの表示部へ表示させるデータを制御する表示情報制御装置を備える外装ケース展示システムであって，
前記表示情報制御装置は，
前記外装ケースの表示部に表示させるデータを記憶する表示情報記憶部と，
前記外装ケース展示用ラックにおける前記外装ケースの位置，および前記外装ケースの表示部に表示させるデータを設定した表示制御情報を記憶する表示制御情報記憶部と，
前記表示制御情報にもとづいて前記表示情報記憶部からデータを取得する表示情報取得部と，
前記データを前記外装ケース展示用ラックへ送信する送信制御部とを備え，
前記外装ケースは，
当該外装ケースの外面に設けられ，書き換え可能性および表示保持特性を有する液晶表示層からなる表示部と，
前記外装ケース展示用ラックと接続するコネクタ部とを備え，
前記外装ケース展示用ラックは，
前記外装ケースと接続するコネクタ部と，
前記外装ケースの表示部へ表示させるデータを受信する受信制御部と，
表示書き換え走査中にのみ前記表示部の前記液晶表示層へ所定のパルス電圧を印加することによって，前記表示部に前記データを表示させる表示制御部とを備える
ことを特徴とする外装ケース展示システム。
【００９２】
（付記１３）  前記表示情報制御装置は，
前記表示制御情報にもとづいて，前記取得されたデータを，表示対象として設定された外装ケースの個数と前記位置に応じて分割する表示情報分割部を備え，
前記展示用ラックでは，
前記受信制御部は，前記位置に対応付けられ分割データを受信し，
前記制御表示部は，前記位置に対応付けられ分割データを，対応する前記外装ケースの表示部へ表示させる
ことを特徴とする前記付記１２に記載の外装ケース展示システム。
【００９３】
（付記１４）  前記表示情報取得部は，所定の契機または期間の経過ごとに，前記表示制御情報にもとづいて前記表示情報記憶部からデータを取得する
ことを特徴とする前記付記１２または前記付記１３のいずれか一項に記載の外装ケース展示システム。
【図面の簡単な説明】
【００９４】
【図１】本発明にかかるＤＰＣの構成例を示す図である。
【図２】ＤＰＣおよび表示情報制御装置で構成される外装ケース展示システムの例を示す図である。
【図３】複数のＤＰＣで１つの表示情報を表示する場合の処理例を説明するための図である。
【図４】複数のＤＰＣで１つの表示情報を表示する場合の別の処理例を説明するための図である。
【図５】複数のＤＰＣを組み合わせて展示する展示用ラックの構成例を示す図である。
【図６】展示用ラックを用いてＤＰＣの表示を制御する場合の表示情報制御テーブルの例を示す図である。
【図７】外装ケース展示システムの処理フローチャートを示す図である。
【図８】従来の商品自体を用いた展示例を示す図である。
【符号の説明】
【００９５】
１  電子ペーパー外装ケース（ＤＰＣ）
１ｃ  制御部
１ｄ  ケース部
１１  表示部
１２  メモリ
１３  通信制御回路
１４  表示制御回路
１６ｃ，１６ｄ  コネクタ部
２  電源
３  表示情報制御装置
３１  表示情報制御テーブル
３２  表示情報記憶部
３３  表示情報取得部
３４  表示情報分割部
３５  通信制御部
５  外装ケース展示用ラック（展示用ラック）
Ｎ  ネットワーク
【図１】
2008116591.tif 000003
【図２】
2008116591.tif 000004
【図３】
2008116591.tif 000005
【図４】
2008116591.tif 000006
【図５】
2008116591.tif 000007
【図６】
2008116591.tif 000008
【図７】
2008116591.tif 000009
【図８】
2008116591.tif 000010